【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
正面方形の硬いプラスチック板体で形成された表胴版と、
前記表胴版と背面方形の硬いプラスチック板体で形成された裏胴版と、
前記表胴版と裏胴版との間において前記表胴版及び裏胴版の第１側縁及び第２側縁と底縁とに、両長手端縁によって連設された襠部とを備え、
前記表胴版及び裏胴版は、
襠部材を溶着するための溶着代を備え、前記溶着代は、第１側縁、第２側縁及び底縁の内側面で、第１側縁の近傍の溶着代、第２側縁の近傍の溶着代、底縁の近傍の溶着代を含み、且つ、表胴版及び裏胴版は、底縁の外側に折り曲げ部を介して連設された挟着補強部を備え、
前記襠部は、
前記表胴版の第１側縁及び裏胴版の第１側縁に対応する略方形状の第１側襠部と、前記表胴版の第２側縁及び裏胴版の第２側縁に対応する略方形状の第２側襠部と、前記表胴版の底縁及び裏胴版の底縁に対応する略方形状の底襠部とを有し、
第１側襠部と底襠部との境界の近傍及び第２側襠部と底襠部との境界の近傍は、折り曲げられて、表胴版の第１側縁と、表胴版の底縁との境界の表胴版の第１角部及び裏胴版の第１側縁と、裏胴版の底縁との境界の裏胴版の第１角部に対応した、第１角襠部、並びに表胴版の第２側縁と、表胴版の底縁との境界の表胴版の第２角部及び裏胴版の第２側縁と、裏胴版の底縁との境界の裏胴版の第２角部に対応した、第２角襠部を形成され、
前記襠部は、表胴版の第１側縁及び第２側縁の長さと底縁の長さとに対応する長さを有する表側長手端縁を備えるとともに、裏胴版の第１側縁と第２側縁の長さと底縁の長さに対応する長さを有する裏側長手端縁を備える、表胴版及び裏胴版と溶着できる軟質プラスチックシートからなる襠部材で形成され、
前記襠部材は、
第１側襠部の表側長手端縁の近傍の溶着代及び裏側長手端縁の近傍の溶着代と、底襠部の表側長手端縁の近傍の溶着代及び裏側長手端縁の近傍の溶着代と、第２側襠部の表側長手端縁の近傍の溶着代及び裏側長手端縁の近傍の溶着代とを備え、
表側長手端縁と裏側長手端縁との間において、長手方向に連続して形成された山折り折り目と、前記山折り折り目の幅方向における両側に前記山折り折り目に沿って長手方向に連続して形成された表側谷折り折り目と裏側谷折り折り目とを形成され、
前記襠部材は、
長手方向に連続する、表側長手端縁の第１側襠部の表側長手端縁の近傍の溶着代、底襠部の表側長手端縁の近傍の溶着代及び第２側襠部の表側長手端縁の近傍の溶着代において、表胴版の外周縁、すなわち第１側縁、第２側縁及び底縁の内側面で第１側縁の近傍の溶着代、第２側縁の近傍の溶着代、底縁の近傍の溶着代に溶着されて表胴版と連結され、且つ、長手方向に連続する、第１側襠部の裏側長手端縁の近傍の溶着代、底襠部の裏側長手端縁の近傍の溶着代及び第２側襠部の裏側長手端縁の近傍の溶着代において、裏胴版の外周縁、すなわち第１側縁、第２側縁及び底縁の近傍の内側面で第１側縁の近傍の溶着代、第２側縁の近傍の溶着代、底縁の近傍の溶着代に溶着されて、裏胴版と連結され、山折り折り目側がバッグの内側に向けて突き出るように、前記表側谷折り折り目とは反対側の表側端縁と表胴版とを連設され且つ前記裏側谷折り折り目とは反対側の裏側端縁と裏胴版とを連設されるとともに、
底縁の内側面に接し合わされた底襠部の表側長手端縁の近傍の溶着代の内側面に、折り曲げ部において折り曲げられた挟着補強部が接し合わされて溶着され、且つ、底縁の内側面に接し合わされた底襠部の裏側長手端縁の近傍の溶着代の内側面に、折り曲げ部において折り曲げられた挟着補強部が接し合わされて溶着された、
バッグ。
【請求項２】
前記表胴版及び裏胴版は、硬いポリプロピレン板体であり、
前記襠部は、前記表胴版及び裏胴版の第１側縁及び第２側縁の長さと底縁の長さとに対応する長さを有する平面視長方形状の軟質オレフィンシートからなる襠部材で構成され、
襠部材は、第１角襠部及び第２角襠面で折り曲げられた状態において、
底襠部の表側長手端縁の近傍の溶着代及び裏側長手端縁の近傍の溶着代で、表胴版の底縁の溶着代及び裏胴版の底縁の内側の溶着代と接し合わされ、且つ、表側長手端縁の近傍の溶着代及び裏側長手端縁の近傍の溶着代の内側面にそれぞれその溶着代の形状に対応した表胴版の挟着補強部及び裏胴版の挟着補強部を折り曲げ部及び折り曲げ部において折り曲げて接し合わされ、一緒に同時に溶着された、
請求項１に記載のバッグ。
【請求項３】
表胴版及び裏胴版は、第１側縁の外側に折り曲げ部を介して連設された挟着補強部と、第２側縁の外側に折り曲げ部を介して連設された挟着補強部とを備え、
襠部材は、第１側縁の内側面に接し合わされた第１側襠部の表側長手端縁の近傍の溶着代の内側面に、折り曲げ部において折り曲げられた挟着補強部が接し合わされて溶着され、第２側縁の内側面に接し合わされた第２側襠部の表側長手端縁の近傍の溶着代の内側面に、折り曲げ部において折り曲げられた挟着補強部が接し合わされて溶着され、
且つ、第１側縁の内側面に接し合わされた第１側襠部の裏側長手端縁の近傍の溶着代の内側面に、折り曲げ部において折り曲げられた挟着補強部が接し合わされて溶着され、第２側縁の内側面に接し合わされた第２側襠部の裏側長手端縁の近傍の溶着代の内側面に、折り曲げ部において折り曲げられた挟着補強部が接し合わされて溶着された、
請求項１又は２に記載のバッグ。
【手続補正２】
【補正対象書類名】明細書
【補正対象項目名】０００６
【補正方法】変更
【補正の内容】
【０００６】
この発明の請求項１にかかるバッグは、正面方形の硬いプラスチック板体で形成された表胴版と、前記表胴版と背面方形の硬いプラスチック板体で形成された裏胴版と、前記表胴版と裏胴版との間において前記表胴版及び裏胴版の第１側縁及び第２側縁と底縁とに、両長手端縁によって連設された襠部とを備え、前記表胴版及び裏胴版は、襠部材を溶着するための溶着代を備え、前記溶着代は、第１側縁、第２側縁及び底縁の内側面で、第１側縁の近傍の溶着代、第２側縁の近傍の溶着代、底縁の近傍の溶着代を含み、且つ、表胴版及び裏胴版は、底縁の外側に折り曲げ部を介して連設された挟着補強部を備え、前記襠部は、前記表胴版の第１側縁及び裏胴版の第１側縁に対応する略方形状の第１側襠部と、前記表胴版の第２側縁及び裏胴版の第２側縁に対応する略方形状の第２側襠部と、前記表胴版の底縁及び裏胴版の底縁に対応する略方形状の底襠部とを有し、第１側襠部と底襠部との境界の近傍及び第２側襠部と底襠部との境界の近傍は、折り曲げられて、表胴版の第１側縁と、表胴版の底縁との境界の表胴版の第１角部及び裏胴版の第１側縁と、裏胴版の底縁との境界の裏胴版の第１角部に対応した、第１角襠部、並びに表胴版の第２側縁と、表胴版の底縁との境界の表胴版の第２角部及び裏胴版の第２側縁と、裏胴版の底縁との境界の裏胴版の第２角部に対応した、第２角襠部を形成され、前記襠部は、表胴版の第１側縁及び第２側縁の長さと底縁の長さとに対応する長さを有する表側長手端縁を備えるとともに、裏胴版の第１側縁と第２側縁の長さと底縁の長さに対応する長さを有する裏側長手端縁を備える、表胴版及び裏胴版と溶着できる軟質プラスチックシートからなる襠部材で形成され、前記襠部材は、第１側襠部の表側長手端縁の近傍の溶着代及び裏側長手端縁の近傍の溶着代と、底襠部の表側長手端縁の近傍の溶着代及び裏側長手端縁の近傍の溶着代と、第２側襠部の表側長手端縁の近傍の溶着代及び裏側長手端縁の近傍の溶着代とを備え、表側長手端縁と裏側長手端縁との間において、長手方向に連続して形成された山折り折り目と、前記山折り折り目の幅方向における両側に前記山折り折り目に沿って長手方向に連続して形成された表側谷折り折り目と裏側谷折り折り目とを形成され、前記襠部材は、長手方向に連続する、表側長手端縁の第１側襠部の表側長手端縁の近傍の溶着代、底襠部の表側長手端縁の近傍の溶着代及び第２側襠部の表側長手端縁の近傍の溶着代において、表胴版の外周縁、すなわち第１側縁、第２側縁及び底縁の内側面で第１側縁の近傍の溶着代、第２側縁の近傍の溶着代、底縁の近傍の溶着代に溶着されて表胴版と連結され、且つ、長手方向に連続する、第１側襠部の裏側長手端縁の近傍の溶着代、底襠部の裏側長手端縁の近傍の溶着代及び第２側襠部の裏側長手端縁の近傍の溶着代において、裏胴版の外周縁、すなわち第１側縁、第２側縁及び底縁の近傍の内側面で第１側縁の近傍の溶着代、第２側縁の近傍の溶着代、底縁の近傍の溶着代に溶着されて、裏胴版と連結され、山折り折り目側がバッグの内側に向けて突き出るように、前記表側谷折り折り目とは反対側の表側端縁と表胴版とを連設され且つ前記裏側谷折り折り目とは反対側の裏側端縁と裏胴版とを連設されるとともに、底縁の内側面に接し合わされた底襠部の表側長手端縁の近傍の溶着代の内側面に、折り曲げ部において折り曲げられた挟着補強部が接し合わされて溶着され、且つ、底縁の内側面に接し合わされた底襠部の裏側長手端縁の近傍の溶着代の内側面に、折り曲げ部において折り曲げられた挟着補強部が接し合わされて溶着された、バッグである。
この発明の請求項２にかかるバッグは、前記表胴版及び裏胴版は、硬いポリプロピレン板体であり、前記襠部は、前記表胴版及び裏胴版の第１側縁及び第２側縁の長さと底縁の長さとに対応する長さを有する平面視長方形状の軟質オレフィンシートからなる襠部材で構成され、襠部材は、第１角襠部及び第２角襠面で折り曲げられた状態において、底襠部の表側長手端縁の近傍の溶着代及び裏側長手端縁の近傍の溶着代で、表胴版の底縁の溶着代及び裏胴版の底縁の内側の溶着代と接し合わされ、且つ、表側長手端縁の近傍の溶着代及び裏側長手端縁の近傍の溶着代の内側面にそれぞれその溶着代の形状に対応した表胴版の挟着補強部及び裏胴版の挟着補強部を折り曲げ部及び折り曲げ部において折り曲げて接し合わされ、一緒に同時に溶着された、請求項１に記載のバッグである。
この発明の請求項３にかかるバッグは、表胴版及び裏胴版は、第１側縁の外側に折り曲げ部を介して連設された挟着補強部と、第２側縁の外側に折り曲げ部を介して連設された挟着補強部とを備え、襠部材は、第１側縁の内側面に接し合わされた第１側襠部の表側長手端縁の近傍の溶着代の内側面に、折り曲げ部において折り曲げられた挟着補強部が接し合わされて溶着され、第２側縁の内側面に接し合わされた第２側襠部の表側長手端縁の近傍の溶着代の内側面に、折り曲げ部において折り曲げられた挟着補強部が接し合わされて溶着され、且つ、第１側縁の内側面に接し合わされた第１側襠部の裏側長手端縁の近傍の溶着代の内側面に、折り曲げ部において折り曲げられた挟着補強部が接し合わされて溶着され、第２側縁の内側面に接し合わされた第２側襠部の裏側長手端縁の近傍の溶着代の内側面に、折り曲げ部において折り曲げられた挟着補強部が接し合わされて溶着された、請求項１又は２に記載のバッグである。
【手続補正３】
【補正対象書類名】明細書
【補正対象項目名】０００７
【補正方法】変更
【補正の内容】
【０００７】
この発明によれば、正面方形の硬いプラスチック板体で形成された表胴版と、前記表胴版と背面方形の硬いプラスチック板体で形成された裏胴版と、前記表胴版と裏胴版との間において前記表胴版及び裏胴版の第１側縁及び第２側縁と底縁とに、両長手端縁によって連設された襠部とを備え、前記表胴版及び裏胴版は、襠部材を溶着するための溶着代を備え、前記溶着代は、第１側縁、第２側縁及び底縁の内側面で、第１側縁の近傍の溶着代、第２側縁の近傍の溶着代、底縁の近傍の溶着代を含み、且つ、表胴版及び裏胴版は、底縁の外側に折り曲げ部を介して連設された挟着補強部を備え、前記襠部は、前記表胴版の第１側縁及び裏胴版の第１側縁に対応する略方形状の第１側襠部と、前記表胴版の第２側縁及び裏胴版の第２側縁に対応する略方形状の第２側襠部と、前記表胴版の底縁及び裏胴版の底縁に対応する略方形状の底襠部とを有し、第１側襠部と底襠部との境界の近傍及び第２側襠部と底襠部との境界の近傍は、折り曲げられて、表胴版の第１側縁と、表胴版の底縁との境界の表胴版の第１角部及び裏胴版の第１側縁と、裏胴版の底縁との境界の裏胴版の第１角部に対応した、第１角襠部、並びに表胴版の第２側縁と、表胴版の底縁との境界の表胴版の第２角部及び裏胴版の第２側縁と、裏胴版の底縁との境界の裏胴版の第２角部に対応した、第２角襠部を形成され、前記襠部は、表胴版の第１側縁及び第２側縁の長さと底縁の長さとに対応する長さを有する表側長手端縁を備えるとともに、裏胴版の第１側縁と第２側縁の長さと底縁の長さに対応する長さを有する裏側長手端縁を備える、表胴版及び裏胴版と溶着できる軟質プラスチックシートからなる襠部材で形成され、前記襠部材は、第１側襠部の表側長手端縁の近傍の溶着代及び裏側長手端縁の近傍の溶着代と、底襠部の表側長手端縁の近傍の溶着代及び裏側長手端縁の近傍の溶着代と、第２側襠部の表側長手端縁の近傍の溶着代及び裏側長手端縁の近傍の溶着代とを備え、表側長手端縁と裏側長手端縁との間において、長手方向に連続して形成された山折り折り目と、前記山折り折り目の幅方向における両側に前記山折り折り目に沿って長手方向に連続して形成された表側谷折り折り目と裏側谷折り折り目とを形成され、前記襠部材は、長手方向に連続する、表側長手端縁の第１側襠部の表側長手端縁の近傍の溶着代、底襠部の表側長手端縁の近傍の溶着代及び第２側襠部の表側長手端縁の近傍の溶着代において、表胴版の外周縁、すなわち第１側縁、第２側縁及び底縁の内側面で第１側縁の近傍の溶着代、第２側縁の近傍の溶着代、底縁の近傍の溶着代に溶着されて表胴版と連結され、且つ、長手方向に連続する、第１側襠部の裏側長手端縁の近傍の溶着代、底襠部の裏側長手端縁の近傍の溶着代及び第２側襠部の裏側長手端縁の近傍の溶着代において、裏胴版の外周縁、すなわち第１側縁、第２側縁及び底縁の近傍の内側面で第１側縁の近傍の溶着代、第２側縁の近傍の溶着代、底縁の近傍の溶着代に溶着されて、裏胴版と連結され、山折り折り目側がバッグの内側に向けて突き出るように、前記表側谷折り折り目とは反対側の表側端縁と表胴版とを連設され且つ前記裏側谷折り折り目とは反対側の裏側端縁と裏胴版とを連設されるとともに、底縁の内側面に接し合わされた底襠部の表側長手端縁の近傍の溶着代の内側面に、折り曲げ部において折り曲げられた挟着補強部が接し合わされて溶着され、且つ、底縁の内側面に接し合わされた底襠部の裏側長手端縁の近傍の溶着代の内側面に、折り曲げ部において折り曲げられた挟着補強部が接し合わされて溶着されているので、襠部及び胴版が補強されて変形しにくく、耐久性に優れたバッグを得ることができる。
請求項２の発明によれば、前記表胴版及び裏胴版は、硬いポリプロピレン板体であり、前記襠部は、前記表胴版及び裏胴版の第１側縁及び第２側縁の長さと底縁の長さとに対応する長さを有する平面視長方形状の軟質オレフィンシートからなる襠部材で構成され、襠部材は、第１角襠部及び第２角襠面で折り曲げられた状態において、底襠部の表側長手端縁の近傍の溶着代及び裏側長手端縁の近傍の溶着代で、表胴版の底縁の溶着代及び裏胴版の底縁の内側の溶着代と接し合わされ、且つ、表側長手端縁の近傍の溶着代及び裏側長手端縁の近傍の溶着代の内側面にそれぞれその溶着代の形状に対応した表胴版の挟着補強部及び裏胴版の挟着補強部を折り曲げ部及び折り曲げ部において折り曲げて接し合わされ、一緒に同時に溶着されているので、襠部及び胴版部が補強されてその中に収容された物品等の重みにより変形することがない。
請求項３の発明によれば、表胴版及び裏胴版は、第１側縁の外側に折り曲げ部を介して連設された挟着補強部と、第２側縁の外側に折り曲げ部を介して連設された挟着補強部とを備え、襠部材は、第１側縁の内側面に接し合わされた第１側襠部の表側長手端縁の近傍の溶着代の内側面に、折り曲げ部において折り曲げられた挟着補強部が接し合わされて溶着され、第２側縁の内側面に接し合わされた第２側襠部の表側長手端縁の近傍の溶着代の内側面に、折り曲げ部において折り曲げられた挟着補強部が接し合わされて溶着され、且つ、第１側縁の内側面に接し合わされた第１側襠部の裏側長手端縁の近傍の溶着代の内側面に、折り曲げ部において折り曲げられた挟着補強部が接し合わされて溶着され、第２側縁の内側面に接し合わされた第２側襠部の裏側長手端縁の近傍の溶着代の内側面に、折り曲げ部において折り曲げられた挟着補強部が接し合わされて溶着されているので、襠部材の底襠部及び第１側襠部と第２側襠部とが補強され、収容された物品の重みにより変形することが少ない。
【手続補正４】
【補正対象書類名】明細書
【補正対象項目名】００３５
【補正方法】変更
【補正の内容】
【００３５】
前記襠部材５０は、長手方向に連続する、表側長手端縁５２の第１側襠部６２の表側長手端縁５２の近傍の溶着代１１０、底襠部６４の表側長手端縁５２の近傍の溶着代１１４及び第２側襠部６６の表側長手端縁５２の近傍の溶着代１１８において、表胴版１２の外周縁、すなわち第１側縁３０、第２側縁３２及び底縁３４の内側面で第１側縁３０の近傍の溶着代３０ａ、第２側縁３２の近傍の溶着代３２ａ、底縁３４の近傍の溶着代３４ａに溶着されて表胴版１２と連結されている（図１７参照）。
そして、長手方向に連続する、第１側襠部６２の裏側長手端縁５４の近傍の溶着代１１２、底襠部６４の裏側長手端縁５４の近傍の溶着代１１６及び第２側襠部６６の裏側長手端縁５４の近傍の溶着代１２０において、裏胴版１４の外周縁、すなわち第１側縁４０、第２側縁４２及び底縁４４の近傍の内側面で第１側縁４０の近傍の溶着代４０ａ、第２側縁４２の近傍の溶着代４２ａ、底縁４４の近傍の溶着代４４ａに溶着されて、裏胴版１４と連結される。
第１側縁４０の近傍の溶着代４０ａ、第２側縁４２の近傍の溶着代４２ａ、底縁４４の近傍の溶着代４４ａは、表胴版１２の溶着代３０ａ、３２ａ、３４ａと同様に形成され、第２側縁４２の近傍の溶着代４２ａは、第１側縁４０の近傍の溶着代４０ａと同様に形成されている。
【手続補正５】
【補正対象書類名】明細書
【補正対象項目名】００４２
【補正方法】変更
【補正の内容】
【００４２】
次に、襠部材５０を表胴版１２及び裏胴版１４に溶着する方法について説明する。
襠部材５０は、第１角襠部７０及び第２角襠面９０ｂで折り曲げられた状態において、第１側襠部材６２の表側長手端縁５２の近傍の溶着代１１０及び裏側長手端縁５４の近傍の溶着代１１２で、表胴版１２の第１側縁３０の溶着代３０ａ及び裏胴版１４の第１側縁４０の内側の溶着代４０ａと接し合わせ、更に、表側長手端縁５２の近傍の溶着代１１０及び裏側長手端縁５４の近傍の溶着代１１２の内側面にそれぞれその溶着代の形状に対応した表胴版１２の挟着補強部２２２ａ及び裏胴版１４の挟着補強部２２２ｄを折り曲げ部３０ｂ及び折り曲げ部４０ｂにおいて折り曲げて接し合わせ、一緒に同時に溶着する。
そして、底襠部６４の表側長手端縁５２の近傍の溶着代１１４及び裏側長手端縁５４の近傍の溶着代１１６で、表胴版１２の底縁３４の溶着代３４ａ及び裏胴版１４の底縁４４の内側の溶着代４４ａと接し合わせ、更に、表側長手端縁５２の近傍の溶着代１１４及び裏側長手端縁５４の近傍の溶着代１１６の内側面にそれぞれその溶着代の形状に対応した表胴版１２の挟着補強部２２２ｃ及び裏胴版１４の挟着補強部２２２ｆを折り曲げ部３４ｂ及び折り曲げ部４４ｂにおいて折り曲げて接し合わせ、一緒に同時に溶着する。
更に、第２側襠部６６の表側長手端縁５２の近傍の溶着代１１８及び裏側長手端縁５４の近傍の溶着代１２０で、表胴版１１２の第２側縁３２の溶着代３２ａ及び裏胴版１４の第２側縁４２の内側の溶着代４２ａと接し合わせ、更に、表側長手端縁５２の近傍の溶着代１１８及び裏側長手端縁５４の近傍の溶着代１２０の内側面にそれぞれその溶着代の形状に対応した表胴版１２の挟着補強部２２２ｂ及び裏胴版１４の挟着補強部２２２ｅを折り曲げ部３２ｂ及び折り曲げ部４２ｂにおいて折り曲げて接し合わせ、一緒に同時に溶着する。
なお、第１側襠部材６２の表側長手端縁５２の近傍の溶着代１１０は折り罫１１０ａで、裏側長手端縁５４の近傍の溶着代１１２は折り罫１１２ａで、底襠部６４の表側長手端縁５２の近傍の溶着代１１４は折り罫１１４ａで、裏側長手端縁５４の近傍の溶着代１１６は折り罫１１６ａで、第２側襠部６６の表側長手端縁５２の近傍の溶着代１１８は折り罫１１８ａで、裏側長手端縁５４の近傍の溶着代１２０は折り罫１２０ａで、それぞれの内側面を外側すなわち表胴版１２及び裏胴版１４側に向けて折り、第１側襠部材６２の表側長手端縁５２の近傍の溶着代１１０は表胴版１２の第１側縁３０の左端縁に、裏側長手端縁５４の近傍の溶着代１１２は裏胴版１４の第１側縁４０の左端縁に、底襠部６４の表側長手端縁５２の近傍の溶着代１１４は表胴版１２の底縁３４の下端縁に、裏側長手端縁５４の近傍の溶着代１１６は裏胴版１４の底縁４４の下端縁に、第２側襠部６６の表側長手端縁５２の近傍の溶着代１１８は表胴版１２の第２側縁３２の右端縁に、裏側長手端縁５４の近傍の溶着代１２０は裏胴版１４の第２側縁４２の右端縁に、それぞれ略々揃えて溶着される。